(57)【要約】【課題】  フレーム内にチャネル識別信号を埋め込むこと無しに、個々のチャネルを識別可能にする。【解決手段】  ＩＤＰ判定装置２２ａは放送信号２０ａのプリアンブル、データ部及びＩＦＧを識別し、プリアンブルとデータ部を８Ｂ／１０Ｂ変換装置２４ａに供給する。変換装置２４ａはプリアンブルとデータ部を８ビット長符号から１０ビット長符号に変換する。特定１０Ｂパターン発生装置３０ａは、放送信号２０ａのチャネルを示す識別信号を含む１０ビット長の特定アイドルパターンを発生する。多重化器３２ａは、装置２４ａ，３０ａの出力信号を時分割多重する。８Ｂ／１０Ｂ変換後のデータ信号２０ｂにも、チャネル識別信号を含む１０ビット特定パターンをインターフレームギャップに配置される。バッファ３４ａ，３４ｂ、電気／光変換器３８ａ，３８ｂ及び光合波器４０により、放送信号とデータ信号を光信号に変換し、１０ビット単位で時分割多重する。【選択図】  図１
2006319402.tif 000002
【特許請求の範囲】
【請求項１】
第１の信号のインターフレームギャップに当該第１の信号のチャネルを示すチャネル識別信号を含む第１の特定パターンに配置し、
第２の信号に、インターフレームギャップに当該第１の特定パターンが配置される当該第１の信号を時間軸上で多重することにより時分割多重信号を生成し、
伝送路からの当該時分割多重信号から当該第１の特定パターンを検出し、
当該第１の特定パターンの検出に従い、当該時分割多重信号から当該第１の信号を搬送する第１成分と当該第２の信号を搬送する第２成分を分離する
ことを特徴とする時分割多重伝送方法。
【請求項２】
更に、多重前の当該第２の信号のインターフレームギャップに、当該第２の信号のチャネルを示すチャネル識別信号を含む第２の特定パターンを配置することを特徴とする請求項１に記載の時分割多重伝送方法。
【請求項３】
更に、
当該伝送路からの当該時分割多重信号から当該第２の特定パターンを検出し、
当該第１及び第２の特定パターンの検出に従い、当該時分割多重信号から当該第１の信号と当該第２の信号を分離する
ことを特徴とする請求項２に記載の時分割多重伝送方法。
【請求項４】
第１及び第２の信号を時分割多重で送信装置から受信装置に伝送するシステムであって、
当該送信装置（１０，１１０）が、
当該第１の信号のチャネルを示すチャネル識別信号を含む第１の特定パターンを発生する第１の特定パターン発生装置（３０ａ，１３０ａ）と、
当該第１の特定パターンを当該第１の信号のインターフレームギャップに挿入する第１の挿入手段（３２ａ，１３６ａ）と、
インターフレームギャップに当該第１の特定パターンが配置された当該第１の信号を当該第２の信号に時間軸上で多重することにより、時分割多重信号を生成する多重装置（３４ａ，３８ａ，４０）
とを具備し、
当該受信装置（１４）が、
当該時分割多重信号から当該第１の特定パターンを検出するパターン検出装置（５４）と、
当該第１の特定パターンの検出に従い、当該時分割多重信号から当該第１の信号を搬送する第１成分と当該第２の信号を搬送する第２成分を分離する分離スイッチ（５６）
とを具備することを特徴とする時分割多重伝送システム。
【請求項５】
当該分離スイッチ（５６）は、当該第１の特定パターンが検出されるまで、当該時分割多重信号を破棄することを特徴とする請求項４に記載の時分割多重伝送システム。
【請求項６】
当該送信装置が更に、
当該第２の信号のチャネルを示すチャネル識別信号を含む第２の特定パターンを発生する第２の特定パターン発生装置（３０ｂ，１３０ｂ）と、
当該第２の特定パターンを、当該第１の信号との時分割多重前に、当該第２の信号のインターフレームギャップに挿入する第２の挿入手段（３２ｂ，１３６ｂ）
とを具備することを特徴とする請求項４又は５に記載の時分割多重伝送システム。
【請求項７】
当該パターン検出装置（５４）が、当該時分割多重信号から当該第２の特定パターンを検出し、当該第２の特定パターンの検出に従い、当該分離スイッチ（５６）を制御することを特徴とする請求項６に記載の時分割多重伝送システム。
【請求項８】
当該送信装置が更に、当該多重装置による多重前に、当該第１及び第２の信号のビット長をＮビットからＭビットにそれぞれ変換する第１及び第２のＮ／Ｍ変換器（２４ａ，２４ｂ）を具備し、
当該受信装置が更に、当該分離スイッチで分離された第１及び第２成分のビット長をＭビットからＮビットにそれぞれ変換する第１及び第２のＭ／Ｎ変換器（６０ａ，６０ｂ）を具備する
ことを特徴とする請求項４乃至７の何れか１項に記載の時分割多重伝送システム。
【請求項９】
当該送信装置が更に、
当該第１の信号のプリアンブル、データ部及びインターフレームギャップを判定し、当該プリアンブル及び当該データ部を当該第１のＮ／Ｍ変換器（２４ａ）に供給し、当該インターフレームギャップに対して当該第１の特定パターン発生装置（３０ａ）を起動する第１のＩＤＰ判定装置（２２ａ）と、
当該第２の信号のプリアンブル、データ部及びインターフレームギャップを判定し、当該プリアンブル及び当該データ部を当該第２のＮ／Ｍ変換器（２４ｂ）に供給し、当該インターフレームギャップに対して当該第２の特定パターン発生装置（３０ｂ）を起動する第２のＩＤＰ判定装置（２２ｂ）
とを具備することを特徴とする請求項８に記載の時分割多重伝送システム。
【請求項１０】
当該送信装置が更に、
当該第１の信号のビット長をＮビットからＭビットに変換する第１のＮ／Ｍ変換器（１２２ａ）と、
当該第２の信号のビット長をＮビットからＭビットに変換する第２のＮ／Ｍ変換器（１２２ｂ）と、
当該第１のＮ／Ｍ変換器（１２２ａ）から出力されるＭビット信号のインターフレームギャップを判定し、当該インターフレームギャップに対して当該第１の特定パターン発生装置（１３０ａ）を起動する第１の判定装置（１２６ａ）
とを具備し、
当該多重装置が、当該第１の挿入手段の出力信号に当該第２のＮ／Ｍ変換器（１２２ｂ）の出力信号を時間軸上で多重することを特徴とする請求項４乃至７の何れか１項に記載の時分割多重伝送システム。
【請求項１１】
当該送信装置が更に、
当該第１の信号のビット長をＮビットからＭビットに変換する第１のＮ／Ｍ変換器（１２２ａ）と、
当該第２の信号のビット長をＮビットからＭビットに変換する第２のＮ／Ｍ変換器（１２２ｂ）と、
当該第１のＮ／Ｍ変換器（１２２ａ）から出力されるＭビット信号のインターフレームギャップを判定し、当該インターフレームギャップに対して当該第１の特定パターン発生装置（１３０ａ）を起動する第１の判定装置（１２６ａ）と、
当該第２のＮ／Ｍ変換器（１２２ｂ）から出力されるＭビット信号のインターフレームギャップを判定し、当該インターフレームギャップに対して当該第２の特定パターン発生装置（１３０ｂ）を起動する第２の判定装置（１２６ｂ）
とを具備し、
当該多重装置が、当該第１の挿入手段の出力信号に当該第２の挿入手段の出力信号を時間軸上で多重することを特徴とする請求項４乃至７の何れか１項に記載の時分割多重伝送システム。
【請求項１２】
当該多重装置が、所定ビット長毎に当該第１及び第２の信号を多重することを特徴とする請求項４乃至１１の何れか１項に記載の時分割多重伝送システム。
【請求項１３】
第１の信号のチャネルを示すチャネル識別信号を含む第１の特定パターンを発生する第１の特定パターン発生装置（３０ａ，１３０ａ）と、
当該第１の特定パターンを当該第１の信号のインターフレームギャップに挿入する第１の挿入手段（３２ａ，１３６ａ）と、
当該第１の挿入手段の出力信号に当該第２の信号を時間軸上で多重することにより、時分割多重信号を生成する多重装置（３４ａ，３８ａ，４０）
とを具備することを特徴とする送信装置。
【請求項１４】
更に、
当該多重装置による多重前に、当該第１及び第２の信号のそれぞれのビット長をＮビットからＭビットに変換する第１及び第２のＮ／Ｍ変換器（２４ａ、２４ｂ）を具備することを特徴とする請求項１３に記載の送信装置。
【請求項１５】
更に、
当該第２の信号のチャネルを示すチャネル識別信号を含む第２の特定パターンを発生する第２の特定パターン発生装置（３０ｂ，１３０ｂ）と、
当該第２の特定パターンを当該第２の信号のインターフレームギャップに挿入する第２の挿入手段（３２ｂ，１３６ｂ）
とを具備することを特徴とする請求項１３に記載の送信装置。
【請求項１６】
更に、
当該第１の信号のプリアンブル、データ部及びインターフレームギャップを判定し、当該プリアンブル及び当該データ部を当該第１のＮ／Ｍ変換器（２４ａ）に供給し、当該インターフレームギャップに対して当該第１の特定パターン発生ン装置（３０ａ）を起動する第１のＩＤＰ判定装置（２２ａ）と、
当該第２の信号のプリアンブル、データ部及びインターフレームギャップを判定し、当該プリアンブル及び当該データ部を当該第２のＮ／Ｍ変換器（２４ｂ）に供給し、当該インターフレームギャップに対して当該第２の特定パターン発生装置（３０ｂ）を起動する第２のＩＤＰ判定装置（２２ｂ）
とを具備することを特徴とする請求項１５に記載の送信装置。
【請求項１７】
更に、
当該第１の信号のビット長をＮビットからＭビットに変換する第１のＮ／Ｍ変換器（１２２ａ）と、
当該第２の信号のビット長をＮビットからＭビットに変換する第２のＮ／Ｍ変換器（１２２ｂ）と、
当該第１のＮ／Ｍ変換器（１２２ａ）から出力されるＭビット信号のインターフレームギャップを判定し、当該インターフレームギャップに対して当該第１の特定パターン発生装置（１３０ａ）を起動する第１の判定装置（１２６ａ）
とを具備し、
当該多重装置が、当該第１の挿入手段の出力信号に当該第２のＮ／Ｍ変換器（１２２ｂ）の出力信号を時間軸上で多重することを特徴とする請求項１５に記載の送信装置。
【請求項１８】
更に、
当該第１の信号のビット長をＮビットからＭビットに変換する第１のＮ／Ｍ変換器（１２２ａ）と、
当該第２の信号のビット長をＮビットからＭビットに変換する第２のＮ／Ｍ変換器（１２２ｂ）と、
当該第１のＮ／Ｍ変換器（１２２ａ）から出力されるＭビット信号のインターフレームギャップを判定し、当該インターフレームギャップに対して当該第１の特定パターン発生装置（１３０ａ）を起動する第１の判定装置（１２６ａ）と、
当該第２のＮ／Ｍ変換器（１２２ｂ）から出力されるＭビット信号のインターフレームギャップを判定し、当該インターフレームギャップに対して当該第２の特定パターン発生装置（１３０ｂ）を起動する第２の判定装置（１２６ｂ）
とを具備し、
当該多重装置が、当該第１の挿入手段の出力信号に当該第２の挿入手段の出力信号を時間軸上で多重することを特徴とする請求項１５に記載の送信装置。
【請求項１９】
第１の信号と第２の信号の時分割多重信号のインターフレームギャップに配置されるチャネル識別信号を検出するチャネル判定装置（５４）と、
当該チャネル判定装置の判定結果に従い、当該時分割多重信号から当該第１の信号を搬送する第１成分と当該第２の信号を搬送する第２成分を分離する分離スイッチ（５６）
とを具備することを特徴とする受信装置。
【請求項２０】
当該チャネル判定装置が当該チャネル識別信号を検出するまで、当該分離スイッチ（５６）は、当該時分割多重信号を破棄することを特徴とする請求項１９に記載の受信装置。
【請求項２１】
当該チャネル識別信号が、当該第１の信号のチャネルを示す第１の識別信号と、当該第２の信号のチャネルを示す第２の識別信号とからなることを特徴とする請求項１９又は２０に記載の受信装置。
【発明の詳細な説明】
【技術分野】
【０００１】
本発明は、時分割多重伝送方法及びシステム、送信装置並びに受信装置に関する。
【背景技術】
【０００２】
近年、光アクセスネットワークを放送にも利用することが考えられている。その場合、例えば、テレビ放送信号と、インターネット等のデータ通信信号とを時分割多重又は波長分割多重でセンター局からユーザ装置に伝送する。
【０００３】
光アクセスネットワークに使用される光ファイバは、１波長でも２．５Ｇｂｐｓ程度の伝送レートを実現できる。放送信号及びデータ通信信号は共に、せいぜい１．２５Ｇｂｐｓ程度であればよいので、時分割多重を利用することで、放送信号とデータ通信信号を１つの光線路上で伝送できる。
【０００４】
複数のチャネルを時分割多重する場合、ＴＤＭ多重装置が、各チャネルのフレームの先頭にチャネル識別子を付加してから各チャネルのフレームを多重し、ＴＤＭ分離装置は、伝送路からの信号をチャネル識別子に従い各チャネルに分離する方法が知られている。
【０００５】
これに対し、チャネル識別子の付加及び削除無しに、２つのギガビット信号を時分割多重（ＴＤＭ）で伝送する方法が、特許文献１に記載されている。ギガビットイーサネット（イーサネットは登録商標）では、伝送路上のデータ構造として、連続した１０ビットのデータを１ワードとし、連続した１０ビットデータワードが複数集まってフレームと呼ばれる単位となり、このフレーム単位でデータが送受信される。伝送路上では、フレームがない期間、即ち、フレーム間のギャップには、アイドルパターン（Idle Pattern）と呼ばれる１０ビットデータワードが連続して送信される。フレーム間のギャップは、インターフレームギャップ（Inter Frame Gap）と呼ばれ、そこに配置されるアイドルパターン信号は、ＩＦＧ又はＩＦＧパターンと呼ばれることもある。
【０００６】
特許文献１に記載の方法では、チャネル識別番号の代わりに、特定チャネルに対して、その送信に先立ち特定ビットパターンの１０ビットデータワードを送信する。受信側では、この特定ビットパターンの１０ビットデータワードにより特定のチャネルを識別し、これに従い他のチャネルを識別する。
【特許文献１】特開２００１−３３３０３７号公報
【発明の開示】
【発明が解決しようとする課題】
【０００７】
特許文献１に記載の方法をＰＯＮシステムに適用すると、例えば、何れかのＯＮＵの電源がオンになった場合あるいは新規ＯＮＵを追加する場合に、全ユーザに向けて上述の特定の１０ビットデータパターンを送信して、各ＯＮＵにＴＤＭの各チャネルのタイミングを通知する必要がある。この通知の間、ユーザの通信が中断される。
【０００８】
本発明は、チャネル識別子とは異なる方法で時分割多重された各チャネルを識別可能な時分割多重伝送方法及びシステム、送信装置並びに受信装置を提示することを目的とする。
【課題を解決するための手段】
【０００９】
本発明に係る時分割多重伝送方法では、第１の信号のインターフレームギャップに当該第１の信号のチャネルを示すチャネル識別信号を含む第１の特定パターンに配置する。第２の信号に、インターフレームギャップに当該第１の特定パターンが配置される当該第１の信号を時間軸上で多重することにより時分割多重信号を生成する。伝送路からの当該時分割多重信号から当該第１の特定パターンを検出する。そして、当該第１の特定パターンの検出に従い、当該時分割多重信号から当該第１の信号を搬送する第１成分と当該第２の信号を搬送する第２成分を分離する。
【００１０】
本発明に係る時分割多重伝送システムは、第１及び第２の信号を時分割多重で送信装置から受信装置に伝送するシステムである。送信装置は、当該第１の信号のチャネルを示すチャネル識別信号を含む第１の特定パターンを発生する第１の特定パターン発生装置と、当該第１の特定パターンを当該第１の信号のインターフレームギャップに挿入する第１の挿入手段と、インターフレームギャップに当該第１の特定パターンが配置された当該第１の信号を当該第２の信号に時間軸上で多重することにより、時分割多重信号を生成する多重装置とを具備する。受信装置は、当該時分割多重信号から当該第１の特定パターンを検出するパターン検出装置と、当該第１の特定パターンの検出に従い、当該時分割多重信号から当該第１の信号を搬送する第１成分と当該第２の信号を搬送する第２成分を分離する分離スイッチとを具備する。
【００１１】
本発明に係る送信装置は、第１の信号のチャネルを示すチャネル識別信号を含む第１の特定パターンを発生する第１の特定パターン発生装置と、当該第１の特定パターンを当該第１の信号のインターフレームギャップに挿入する第１の挿入手段と、当該第１の挿入手段の出力信号に当該第２の信号を時間軸上で多重することにより、時分割多重信号を生成する多重装置とを具備することを特徴とする。
【００１２】
本発明に係る受信装置は、第１の信号と第２の信号の時分割多重信号のインターフレームギャップに配置されるチャネル識別信号を検出するチャネル判定装置と、当該チャネル判定装置の判定結果に従い、当該時分割多重信号から当該第１の信号を搬送する第１成分と当該第２の信号を搬送する第２成分を分離する分離スイッチとを具備することを特徴とする。
【発明の効果】
【００１３】
本発明によれば、フレーム内にチャネル識別信号を埋め込むこと無しに、個々のチャネルを識別可能になる。従って、ユーザの通信を中断してチャネル分離の情報を送信しなくても、２つの信号を多重伝送できる。
【発明を実施するための最良の形態】
【００１４】
以下、図面を参照して、本発明の実施例を詳細に説明する。
【実施例１】
【００１５】
図１は、本発明の一実施例の概略構成ブロック図を示す。図１に示す実施例では、伝送路上で、放送信号とデータ通信信号とを１０ビット単位で時間軸上で多重する。即ち、光送信装置１０には、ギガビットイーサネットの１Ｇｂｐｓの放送信号２０ａと、ギガビットイーサネットの１Ｇｂｐｓのデータ信号２０ｂが入力する。光送信装置１０は、放送信号２０ａとデータ信号２０ｂを８ビット／１０ビット変換し、更に時間軸上で多重することにより、２．５ＧｂｐｓのＴＤＭ信号光を生成し、光伝送路１２に出力する。２．５ＧｂｐｓのＴＤＭ信号光は、光伝送路１２を伝搬して、光受信装置１４に入力する。いわば、光送信装置１０は、ＴＤＭ多重装置であり、光受信装置１４は、ＴＤＭ分離装置である。
【００１６】
図２は、放送信号２０ａ及びデータ信号２０ｂの伝送フレーム構造を示す。ギガビットイーサネットでは、放送信号２０ａ及びデータ信号２０ｂのフレームは共に、時間軸上でプリアンブル（Ｐ）とデータ部（Ｄ）からなる。インターフレームギャップは、８ビットデータワードの箇所では、無信号である。但し、１０ビットデータワードの箇所では、インターフレームギャップには１０ビット単位のアイドルパターン（Ｉ）が挿入される。プリアンブルＰ及びデータ部Ｄの単位長は何れも、８ビットである。
【００１７】
上述の通り、伝送路上では、１０ビット単位でデータが伝送される。そのために、光送信装置１０は、８ビット長符号を１０ビット長符号に変換する装置を有し、光受信装置１４は、１０ビット長符号を８ビット長符号に変換する装置を有する。
【００１８】
光送信装置１０の構成と動作を説明する。放送信号２０ａは、ＩＤＰ判定装置２２ａに入力する。放送信号２０ａの８ビット長のプリアンブルをＰａ（８）と表記し、８ビット長のデータ部をＤａ（８）と表記する。ＩＤＰ判定装置２２ａは、入力信号がプリアンブルＰａ（８）、データ部Ｄａ（８）及びＩＦＧの何れであるかを判別し、プリアンブルＰａ（８）及びデータ部Ｄａ（８）を８Ｂ／１０Ｂ変換装置２６ａに供給する。また、ＩＤＰ判定装置２２ａは、プリアンブルＰａ（８）、データ部Ｄａ（８）及びＩＦＧの判定結果として、プリアンブルＰａ（８）及びデータ部Ｄａ（８）に対して”１”を、ＩＦＧに対して”０”をトリガー信号発生装置２６ａに供給し続ける。
【００１９】
トリガー信号発生装置２６ａは、ＩＤＰ判定装置２２ａの判定結果信号に従い、当該判定結果信号が”０”から”１”に遷移すると、８Ｂ／１０Ｂ変換装置２４ａにトリガー信号を供給し、”１”から”０”に遷移すると、特定１０ビットパターン発生装置３０ａにトリガー信号を供給する。
【００２０】
８Ｂ／１０Ｂ変換装置２４ａは、トリガー信号発生装置２６ａからのトリガー信号により起動され、８Ｂ／１０Ｂ変換テーブル２８ａを参照して、ＩＤＰ判定装置２２ａからのプリアンブルＰａ（８）及びデータ部Ｄａ（８）を１０ビット長符号に変換する。８Ｂ／１０Ｂ変換装置２４ａから出力される１０ビット長のプリアンブルをＰａ（１０）と表記し、１０ビット長のデータ部をＤａ（１０）と表記する。
【００２１】
特定１０ビットパターン発生装置３０ａは、トリガー信号発生装置２６ａからのトリガー信号に応じて、インターフレームギャップに配置される１０ビット長の特定アイドルパターンＩａ（１０）を発生する。この特定アイドルパターンＩａ（１０）は、放送信号２０ａのチャネルを示すチャネル識別信号からなる。
【００２２】
１０ビット長のアイドルパターンは、実際には２０ビット単位で構成され、以下のビットパターン
００１１１１１０１０  ０１１０１１０１０１
１１０００００１０１  １００１０００１０１
００１１１１１０１０  １０１００１０１１０
１１０００００１０１  １０１００１０１１０
の何れかである。先頭１０ビットの” ００１１１１１０１０”と” １１０００００１０１”は、／Ｋ２８．５／と呼ばれる特殊符号である。
【００２３】
チャネル識別子は、この／Ｋ２８．５／符号の部分を別のパターンに変更したものからなる。例えば、予約されている以下のパターン
／Ｋ２８．０／：００１１１１０１００又は１１００００１０１１
／Ｋ２８．１／：００１１１１１００１又は１１０００００１１０
／Ｋ２８．２／：００１１１１０１０１又は１１００００１０１０
／Ｋ２８．３／：００１１１１００１１又は１１００００１１００
／Ｋ２８．４／：００１１１１００１０又は１１００００１１０１
／Ｋ２８．６／：００１１１１０１１０又は１１００００１００１
をチャネル識別のために利用可能である。
【００２４】
多重化器３２ａは、８Ｂ／１０Ｂ変換器２４ａの出力信号Ｐａ（１０），Ｄａ（１０）からなるフレームの間に、特定１０ビットパターン発生装置３０ａから出力される特定アイドルパターンＩａ（１０）を配置する。多重化器３０ａは、例えば、ワイアードオア回路又は１０ビット単位の多重装置からなる。多重化器３２ａの出力データのレートは、１．２５Ｇｂｐｓである。多重化器３２ａの出力データは、バッファ３４ａに書き込まれる。バッファ３４ａは、クロック発生装置３４からの２．５ＧＨｚのクロックに従い記憶データを電気／光変換器３８ａに読み出す。電気／光変換器３８ａは、例えば、バッファ３４ａの出力信号を増幅するプリアンプと、プリアンプの出力信号を光信号に変換するレーザダイオードからなる。
【００２５】
データ信号２０ｂに対するＩＤＰ判定装置２２ｂ、８Ｂ／１０Ｂ変換装置２４ｂ、トリガー信号発生装置２６ｂ、８Ｂ／１０Ｂ変換テーブル２８ｂ、特定１０Ｂパターン発生装置３０ｂ及び多重化器３２ｂは、放送信号２０ａに対するＩＤＰ判定装置２２ａ、８Ｂ／１０Ｂ変換装置２４ａ、トリガー信号発生装置２６ａ、８Ｂ／１０Ｂ変換テーブル２８ａ、特定１０Ｂパターン発生装置３０ａ及び多重化器３２ａと同様に動作する。データ信号２０ｂの８ビット長のプリアンブルをＰｂ（８）と表記し、８ビット長のデータ部をＤｂ（８）と表記する。
【００２６】
ＩＤＰ判定装置２２ｂは、入力信号がプリアンブルＰｂ（８）、データ部Ｄｂ（８）及びＩＦＧの何れであるかを判別し、プリアンブルＰｂ（８）及びデータ部Ｄｂ（８）を８Ｂ／１０Ｂ変換装置２６ｂに供給する。また、ＩＤＰ判定装置２２ｂは、プリアンブルＰｂ（８）、データ部Ｄｂ（８）及びＩＦＧの判定結果として、プリアンブルＰｂ（８）及びデータ部Ｄｂ（８）に対して”１”を、ＩＦＧに対して”０”をトリガー信号発生装置２６ａに供給し続ける。
【００２７】
トリガー信号発生装置２６ｂは、ＩＤＰ判定装置２２ｂの判定結果信号に従い、当該判定結果信号が”０”から”１”に遷移すると、８Ｂ／１０Ｂ変換装置２４ｂにトリガー信号を供給し、”１”から”０”に遷移すると、特定１０ビットパターン発生装置３０ｂにトリガー信号を供給する。
【００２８】
８Ｂ／１０Ｂ変換装置２４ｂは、トリガー信号発生装置２６ｂからのトリガー信号により起動され、８Ｂ／１０Ｂ変換テーブル２８ｂを参照して、ＩＤＰ判定装置２２ｂからのプリアンブルＰｂ（８）及びデータ部Ｄｂ（８）を１０ビット長符号に変換する。８Ｂ／１０Ｂ変換装置２４ｂから出力される１０ビット長のプリアンブルをＰｂ（１０）と表記し、１０ビット長のデータ部をＤｂ（１０）と表記する。
【００２９】
特定１０ビットパターン発生装置３０ｂは、トリガー信号発生装置２６ｂからのトリガー信号に応じて、インターフレームギャップに配置される１０ビット長の特定アイドルパターンＩｂ（１０）を発生する。この特定アイドルパターンＩｂ（１０）は、データ信号２０ｂのチャネルを示すチャネル識別信号からなる。Ｉａ（１０）に含まれるチャネル識別信号と、Ｉｂ（１０）に含まれるチャネル識別信号を異ならせることで、光受信装置１４は、放送信号２０ａのチャネルとデータ信号２０ｂのチャネルを識別できる。
【００３０】
動作を理解しやすいように、特定アイドルパターン発生装置３０ａ，３０ｂが、全インターフレームギャップに対してチャネル識別信号を含む特定アイドルパターンＩａ（１０），Ｉｂ（１０）を発生すると説明したが、一定間隔のＩＦＧに対して、チャネル識別信号を含む特定アイドルパターンＩａ（１０），Ｉｂ（１０）を出力し、それ以外のＩＦＧに対しては単にＩＦＧを示すアイドルパターンを出力するようにしてもよい。前者の場合、例えば、光伝送路１２上で伝送障害が発生しても、光受信装置１４は、障害解消後に即座に各チャネルを識別できる。このような即時性が必要ないか、又は、チャネル識別が遅くてもよい場合には、後者のように、間欠的に特定アイドルパターンを埋め込めば良い。
【００３１】
多重化器３２ｂは、８Ｂ／１０Ｂ変換器２４ｂの出力信号Ｐｂ（１０），Ｄｂ（１０）からなるフレームの間に、特定１０ビットパターン発生装置３０ｂから出力される特定アイドルパターンＩｂ（１０）を配置する。多重化器３０ｂは、多重化器３０ａと同様に、例えば、ワイアードオア回路又は１０ビット単位の多重装置からなる。多重化器３２ｂの出力データのレートは、１．２５Ｇｂｐｓである。多重化器３２ｂの出力データは、バッファ３４ｂに書き込まれる。バッファ３４ｂは、クロック発生装置３４からの２．５ＧＨｚのクロックに従い記憶データを電気／光変換器３８ｂに読み出す。電気／光変換器３８ｂは、例えば、バッファ３４ａの出力信号を増幅するプリアンプと、プリアンプの出力信号を光信号に変換するレーザダイオードからなる。
【００３２】
バッファ３４ａ，３４ｂは、クロック発生装置３６からの２．５ＧＨｚのクロックに従い、放送信号２０ａのチャネルとデータ信号２０ｂのチャネルが１０ビット単位で交互に時間軸上に位置するように記憶データを読み出し、電気／光変換器３８ａ，３８ｂに供給する。電気／光変換器３８ａ，３８ｂは、入力信号を光信号に変換する。光合波器４０は、電気／光変換器３８ａ，３８ｂの出力光を合波して、光伝送路１２に出力する。光合波器４０の出力する信号光のレートは、２．５Ｇｂｐｓである。
【００３３】
本実施例では、放送信号２０ａのチャネルとデータ信号２０ｂのチャネルを個別に光信号に変換してから時間軸上で多重したが、勿論、放送信号２０ａのチャネルの電気信号、例えば、バッファ３４ａの出力電気信号と、データ信号２０ｂのチャネルの電気信号、例えばバッファ３４ｂの出力電気信号を時間軸上で多重してから、その多重電気信号を光信号に変換しても良い。即ち、本実施例の、バッファ３４ａ，３４ｂ，クロック発生装置３６，電気／光変換器３８ａ，３８ｂ及び光合波器４０からなる部分は、時分割多重の機能と電気／光変換の機能を併せ持つ装置ということができる。
【００３４】
図３は、本実施例の時分割多重の主要動作を説明するタイミングチャートを示す。図３（１）は、多重化器３２ａの出力信号を示す。図３（２）は、多重化器３２ｂの出力信号を示す。図３（３）は、バッファ３４ａの出力信号を示す。図３（４）は、バッファ３４ｂの出力信号を示す。図３（５）は、光合波器４０の出力信号を示す。バッファ３４ａは、図３（３）に示すタイミングで放送信号２０ａのプリアンブルＰａ（１０）、データ部Ｄａ（１０）、及び特定アイドルパターンＩａ（１０）を出力し、バッファ３４ｂは、図３（４）に示すタイミングでデータ信号２０ｂのプリアンブルＰｂ（１０）、データ部Ｄｂ（１０）、及び特定アイドルパターンＩｂ（１０）を出力する。この結果、光合波器４０から出力される信号光、即ち、光送信装置１０から光伝送路１２に出力される信号光は、図３（５）に示すように、放送信号２０ａのチャネルとデータ信号２０ｂのチャネルが時間軸上で１０ビット毎に交互するＴＤＭ信号を搬送する。
【００３５】
光合波器４０の出力信号光は、光送信装置１０の出力信号光として、光伝送路１２に印加される。その信号光は、光伝送路１２を伝搬して、光受信装置１４に入力する。
【００３６】
光受信装置１４の構成と動作を説明する。光電変換器５０，例えばフォトダイオードは、光伝送路１２からの信号光を電気信号に変換し、バッファ５２に印加する。チャネル判定装置５４は、バッファ５２に一時的に記憶される受信信号の内から１０ビット長の特定アイドルパターンＩａ（１０），Ｉｂ（１０）を検索し、検索結果によりチャネルを識別し、その識別結果に従い、バッファ５２の出力に接続するスイッチ５６を制御する。
【００３７】
本実施例では、チャネル判定装置５４は、特定アイドルパターンＩａ（１０）から放送信号チャネルを示すチャネル識別信号を検出すると、この特定アイドルパターンＩａ（１０）と、これに先行するプリアンブルＰａ（１０）とデータ部Ｄａ（１０）が放送信号２０ａのチャネルに属すると判定し、特定アイドルパターンＩｂ（１０）からデータチャネルを示すチャネル識別信号を検出すると、この特定アイドルパターンＩｂ（１０）と、これに先行するプリアンブルＰｂ（１０）とデータ部Ｄｂ（１０）が、データ信号２０ｂのチャネルに属すると判定する。
【００３８】
チャネル判定装置５４は、このようなチャネル判定結果に従い、スイッチ５６を接点Ａ，Ｂ，Ｃの何れかに切り替える。スイッチ５６は、通常時には、データ破棄に繋がる接点Ｃに接続する。チャネル判定装置５４でチャネルを未判定の状態では、光スイッチ５６は接点Ｃに接続しており、この状態では、受信信号は破棄される。
【００３９】
チャネル判定装置５４は、特定アイドルパターンＩａ（１０）、より具体的には、放送チャネルを示すチャネル識別信号を検出すると、先ず、スイッチ５６を接点Ａに接続し、以後、１０ビット単位で、接点Ｂ，Ａ間を交互に切り替える。また、チャネル判定装置５４は、特定アイドルパターンＩｂ（１０）、より具体的にはデータチャネルを示すチャネル識別信号を検出すると、先ずスイッチ５６を接点Ｂに接続し、以後、１０ビット単位で、接点Ａ，Ｂ間を交互に切り替える。これにより、特定アイドルパターンＩａ（１０）又はＩｂ（１０）の検出後では、スイッチ５６は、放送信号２０ａのチャネルに属するプリアンブルＰａ（１０）、データ部Ｄａ（１０）及び特定アイドルパターンＩａ（１０）に対して接点Ａに接続し、データ信号２０ｂのチャネルに属するプリアンブルＰｂ（１０）、データ部Ｄｂ（１０）及び特定アイドルパターンＩｂ（１０）に対して接点Ｂに接続する。
【００４０】
スイッチ５６のこの動作により、放送信号２０ａのチャネルに属するプリアンブルＰａ（１０）、データ部Ｄａ（１０）及び特定アイドルパターンＩａ（１０）が、ＩＤＰ判定装置５８ａに印加され、データ信号２０ｂのチャネルに属するプリアンブルＰｂ（１０）、データ部Ｄｂ（１０）及び特定アイドルパターンＩｂ（１０）が、ＩＤＰ判定装置５８ｂに印加される。
【００４１】
ＩＤＰ判定装置５８ａは、スイッチ５６の接点Ａからの信号がプリアンブルＰａ（１０）、データ部Ｄａ（１０）及び特定アイドルパターンＩａ（１０）の何れであるかを判別し、プリアンブルＰａ（１０）及びデータ部Ｄａ（１０）とその１０Ｂ／８Ｂ変換のためのトリガー信号を１０Ｂ／８Ｂ変換装置６０ａに供給し、特定アイドルパターンＩａ（１０）を破棄する。１０Ｂ／８Ｂ変換装置６０ａは、８Ｂ／１０Ｂ変換テーブル２８ａの変換規則とは逆の変換規則を記憶する１０Ｂ／８Ｂ変換テーブル６２ａを参照して、１０ビット長のプリアンブルＰａ（１０）及びデータ部Ｄａ（１０）を８ビット長のプリアンブルＰａ（８）及びデータ部Ｄａ（８）に戻す。以上の動作により、放送信号２０ａが復元される。このようにして受信された放送信号２０ａが、出力端子６４ａから外部に出力される。
【００４２】
同様に、ＩＤＰ判定装置５８ｂは、スイッチ５６の接点Ｂからの信号がプリアンブルＰｂ（１０）、データ部Ｄｂ（１０）及び特定アイドルパターンＩｂ（１０）の何れであるかを判別し、プリアンブルＰｂ（１０）及びデータ部Ｄｂ（１０）とその１０Ｂ／８Ｂ変換のためのトリガー信号を１０Ｂ／８Ｂ変換装置６０ｂに供給し、特定アイドルパターンＩｂ（１０）を破棄する。１０Ｂ／８Ｂ変換装置６０ｂは、８Ｂ／１０Ｂ変換テーブル２８ｂの変換規則とは逆の変換規則を記憶する１０Ｂ／８Ｂ変換テーブル６２ｂを参照して、１０ビット長のプリアンブルＰｂ（１０）及びデータ部Ｄｂ（１０）を８ビット長のプリアンブルＰｂ（８）及びデータ部Ｄｂ（８）に戻す。以上の動作により、データ信号２０ｂが復元される。このようにして受信されたデータ信号２０ｂが、出力端子６４ｂから外部に出力される。
【００４３】
本実施例では、データ部に続くＩＦＧに配置される特定アイドルパターンによりチャネルを識別したが、この逆に、プリアンブルに先行するＩＦＧに配置される特定アイドルパターンで当該プリアンブル及びデータ部の属するチャネルを識別しても良いことは明らかである。
【００４４】
２つのチャネルを時分割多重で伝送する実施例を説明したが、本発明は、３チャネル以上を時分割多重伝送する場合にも適用可能である。各チャネルを識別できるように、ＩＦＧに配置される１０ビット長の特定アイドルパターンに収容するチャネル識別信号を互いに異なるパターンにすればよい。
【００４５】
理解を容易にするために、図１に示す構成では、光送信装置１０に２つの８Ｂ／１０Ｂ変換テーブ２８ａ，２８ｂを設けたが、８Ｂ／１０Ｂ変換装置２４ａ，２４ｂが単一の８Ｂ／１０Ｂ変換テーブルを共用してもよいことは明らかである。また、同様に、光受信装置１４でも、２つの１０Ｂ／８Ｂテーブ６２ａ，６２ｂを設けたが、１０Ｂ／８Ｂ変換装置６０ａ，６０ｂが単一の１０Ｂ／８Ｂ変換テーブルを共用してもよいことは明らかである。
【実施例２】
【００４６】
図４は、光送信装置の別の構成例の概略構成ブロック図を示す。この実施例での光送信装置１１０は、８ビット長の入力データを１０ビット長に変換した後で、１０ビット長のアイドルパターンを、チャネル識別信号を含む特定アイドルパターンに変換する。光送信装置１１０は、図１に示す光送信装置１０と置換可能である。
【００４７】
放送信号２０ａは、ＩＥＥＥ８０２．３に基づき８ビット長を１０ビット長に変換する８Ｂ／１０Ｂ変換装置１２２ａに入力する。８Ｂ／１０Ｂ変換装置１２２ａは、８Ｂ／１０Ｂ変換テーブル１２４ａを参照して、８ビット長の放送信号２０ａを１０ビット長に変換する。これにより、８Ｂ／１０Ｂ変換装置１２２ａは、放送信号２０ａの１０ビット長のプリアンブルＰａ（１０）、１０ビット長のデータ部Ｄａ（１０）、及びインターフレームギャップに配置される１０ビット長の既存のアイドルパターンを出力する。
【００４８】
ＩＤＰ判定装置１２６ａは、８Ｂ／１０Ｂ変換装置１２２ａからの信号がプリアンブルＰａ（１０）、データ部Ｄａ（１０）及びＩＦＧのアイドルパターンの何れであるかを判別し、プリアンブルＰａ（１０）及びデータ部Ｄａ（１０）をバッファ１２８ａに、アイドルパターンを特定１０ビットパターン発生装置１３０ａに供給する。特定１０ビットパターン発生装置１３０ａは、ＩＤＰ判定装置１２６ａからのアイドルパターンを、放送信号チャネルを示すチャネル識別信号を含む特定１０ビットパターンＩａ（１０）に変換し、その特定１０ビットパターンＩａ（１０）をバッファ１３２ａに供給する。
【００４９】
ＩＤＰ判定装置１２６ａはまた、プリアンブル、データ部及びＩＦＧの判定結果を示す信号をトリガー信号発生装置１３４ａに供給する。トリガー信号発生装置１３４ａは、ＩＤＰ判定装置１２６ａからの判定結果信号に従い、バッファ１２８ａ，１３２ａにデータの取り込みを指示するトリガー信号を供給する。
【００５０】
バッファ１２８ａ，１３２ａは、所定のタイミングで記憶データを多重化器１３６ａに読み出す。多重化器１３６ａは、バッファ１２８ａから読み出されるＰａ（１０），Ｄａ（１０）からなるフレームの間に、バッファ１３２ａから出力される特定アイドルパターンＩａ（１０）が位置するように、バッファ１２８ａ，１３２ａからのデータを時間軸上で多重化する。多重化器１３６ａの出力データのレートは、１．２５Ｇｂｐｓである。
【００５１】
多重化器１３６ａの出力データは、バッファ１３８ａに書き込まれる。バッファ１３８ａは、クロック発生装置１４２からの２．５ＧＨｚのクロックに従い記憶データを電気／光変換器１４０ａに読み出す。電気／光変換器１４０ａは、例えば、バッファ１３８ａの出力信号を増幅するプリアンプと、プリアンプの出力信号を光信号に変換するレーザダイオードからなる。
【００５２】
データ信号２０ｂに対する８Ｂ／１０Ｂ変換装置１２２ｂ、８Ｂ／１０Ｂ変換テーブル１２４ｂ，ＩＤＰ判定装置１２６ｂ、バッファ１２８ｂ、特定１０ビットパターン発生装置１３０ｂ、バッファ１３２ｂ、トリガー信号発生装置１３４ｂ及び多重化器１３６ｂは、放送信号２０ａに対する８Ｂ／１０Ｂ変換装置１２２ａ、８Ｂ／１０Ｂ変換テーブル１２４ａ，ＩＤＰ判定装置１２６ａ、バッファ１２８ａ、特定１０ビットパターン発生装置１３０ａ、バッファ１３２ａ、トリガー信号発生装置１３４ａ及び多重化器１３６ａと同様に動作する。データ信号２０ｂの８ビット長のプリアンブルをＰｂ（８）と表記し、８ビット長のデータ部をＤｂ（８）と表記する。
【００５３】
データ信号２０ｂは、ＩＥＥＥ８０２．３に基づき８ビット長を１０ビット長に変換する８Ｂ／１０Ｂ変換装置１２２ｂに入力する。８Ｂ／１０Ｂ変換装置１２２ｂは、８Ｂ／１０Ｂ変換テーブル１２４ｂを参照して、８ビット長のデータ信号２０ｂを１０ビット長に変換する。これにより、８Ｂ／１０Ｂ変換装置１２２ｂは、データ信号２０ｂの１０ビット長のプリアンブルＰｂ（１０）、１０ビット長のデータ部Ｄｂ（１０）、及びインターフレームギャップに配置される１０ビット長の既存のアイドルパターンを出力する。
【００５４】
ＩＤＰ判定装置１２６ｂは、８Ｂ／１０Ｂ変換装置１２２ｂからの信号がプリアンブルＰｂ（１０）、データ部Ｄａ（１０）及びＩＦＧのアイドルパターンの何れであるかを判別し、プリアンブルＰａ（１０）及びデータ部Ｄａ（１０）をバッファ１２８ｂに、アイドルパターンを特定１０ビットパターン発生装置１３０ｂに供給する。特定１０ビットパターン発生装置１３０ｂは、ＩＤＰ判定装置１２６ｂからのアイドルパターンを、データ信号チャネルを示すチャネル識別信号を含む特定１０ビットパターンＩｂ（１０）に変換し、その特定１０ビットパターンＩｂ（１０）をバッファ１３２ｂに供給する。
【００５５】
ＩＤＰ判定装置１２６ｂはまた、プリアンブル、データ部及びＩＦＧの判定結果を示す信号をトリガー信号発生装置１３４ｂに供給する。トリガー信号発生装置１３４ｂは、ＩＤＰ判定装置１２６ｂからの判定結果信号に従い、バッファ１２８ｂ，１３２ｂにデータの取り込みを指示するトリガー信号を供給する。
【００５６】
バッファ１２８ｂ，１３２ｂは、所定のタイミングで記憶データを多重化器１３６ｂに読み出す。多重化器１３６ｂは、バッファ１２８ｂから読み出されるＰｂ（１０），Ｄｂ（１０）からなるフレームの間に、バッファ１３２ｂから出力される特定アイドルパターンＩｂ（１０）が位置するように、バッファ１２８ｂ，１３２ｂからのデータを時間軸上で多重化する。多重化器１３６ｂの出力データのレートは、１．２５Ｇｂｐｓである。
【００５７】
多重化器１３６ｂの出力データは、バッファ１３８ｂに書き込まれる。バッファ１３８ｂは、クロック発生装置１４２からの２．５ＧＨｚのクロックに従い記憶データを電気／光変換器１４０ｂに読み出す。電気／光変換器１４０ｂは、例えば、バッファ１３８ｂの出力信号を増幅するプリアンプと、プリアンプの出力信号を光信号に変換するレーザダイオードからなる。
【００５８】
バッファ１３８ａ，１３８ｂは、クロック発生装置１４２からの２．５ＧＨｚのクロックに従い、放送信号２０ａのチャネルとデータ信号２０ｂのチャネルが１０ビット単位で交互に時間軸上に位置するように記憶データを読み出し、電気／光変換器１４０ａ，１４０ｂに供給する。電気／光変換器１４０ａ，１４０ｂは、入力信号を光信号に変換する。光合波器１４４は、電気／光変換器１４０ａ，１４０ｂの出力光を合波して、光伝送路１２に出力する。光合波器１４４の出力する信号光のレートは、２．５Ｇｂｐｓである。
【００５９】
本実施例でも、放送信号２０ａのチャネルとデータ信号２０ｂのチャネルを個別に光信号に変換してから時間軸上で多重したが、勿論、放送信号２０ａのチャネルの電気信号、例えば、バッファ１３８ａの出力電気信号と、データ信号２０ｂのチャネルの電気信号、例えばバッファ１３８ｂの出力電気信号を時間軸上で多重してから、その多重電気信号を光信号に変換しても良い。即ち、本実施例の、バッファ１３８ａ，１３８ｂ，クロック発生装置１４２，電気／光変換器１４０ａ，１４０ｂ及び光合波器１４４からなる部分は、時分割多重の機能と電気／光変換の機能を併せ持つ装置ということができる。
【００６０】
理解を容易にするために、図４に示す構成では、光送信装置１１０に２つの８Ｂ／１０Ｂ変換テーブ１２４ａ，１２４ｂを設けたが、８Ｂ／１０Ｂ変換装置１２２ａ，１２２ｂが単一の８Ｂ／１０Ｂ変換テーブルを共用してもよいことは明らかである。
【００６１】
また、理解を容易にするために、特定アイドルパターン発生装置１３０ａ，１３０ｂが、全インターフレームギャップに対してチャネル識別信号を含む特定アイドルパターンＩａ（１０），Ｉｂ（１０）を出力すると説明したが、一定間隔のＩＦＧに対して、チャネル識別信号を含む特定アイドルパターンＩａ（１０），Ｉｂ（１０）を出力し、それ以外のＩＦＧに対しては単にＩＦＧを示すアイドルパターンを出力するようにしてもよい。前者の場合、例えば、光伝送路１２上で伝送障害が発生しても、光受信装置１４は、障害解消後に即座に各チャネルを識別できる。このような即時性が必要ないか、又は、チャネル識別が遅くてもよい場合には、後者のように、間欠的に特定アイドルパターンを埋め込めば良い。
【実施例３】
【００６２】
図４に示す光送信装置１１０において、８Ｂ／１０Ｂ変換テーブル１２４ａ，１２４ｂに、インターフレームギャップに対して、特定１０ビットパターン発生装置１３０ａ，１３０ｂの発生する１０ビットの特定アイドルパターンと同じパターンを発生する変換規則を格納しておいてもよい。その場合、ＩＤＰ判定装置１２６ａ，１２６ｂ、バッファ１２８ａ，１２８ｂ、特定１０ビットパターン発生装置１３０ａ，１３０ｂ、バッファ１３２ａ，１３２ｂ及びトリガー信号発生装置１３４ａ，１３４ｂは、省略されうる。
【実施例４】
【００６３】
光受信装置１４を以下のように変更してもよい。即ち、ＩＤＰ判定装置５８ａ，５８ｂの代わりに、チャネル識別信号を含む１０ビットの特定アイドルパターンを、既存の１０ビットのアイドルパターンに変換するアイドルパターン変換装置を配置する。そして、１０Ｂ／８Ｂ変換装置６０ａ，６０ｂが、ＩＥＥＥ８０２．３に従い、このアイドルパターン変換装置からの１０ビットのプリアンブル及び１０ビットのデータ部をそれぞれ８ビットのプリアンブル及びデータ部に変換し、アイドルパターン変換装置からのアイドルパターンに対して無信号を出力する。
【実施例５】
【００６４】
また、光受信装置１４を以下のように変更してもよい。１０Ｂ／８Ｂ変換テーブル６２ａ，６２ｂに、特定アイドルパターンに対して無信号を割り当てる変換規則を格納しておく。この場合、ＩＤＰ判定装置５８ａ，５８ｂを省略できる。１０Ｂ／８Ｂ変換装置６０ａ，６０ｂは、スイッチ５６の接点Ａ，Ｂからの１０ビットのプリアンブル及びデータ部を８ビットに変換し、特定アイドルパターンに対して無信号を出力する。
【００６５】
データ信号と放送信号を時分割多重する実施例を説明したが、２つのデータ信号を時分割多重する場合、および、２つの放送信号を時分割多重する場合の何れにも、本発明は適用可能である。
【００６６】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００６７】
【図１】本発明の一実施例の概略構成ブロック図である。
【図２】本実施例の放送信号２０ａ及びデータ信号２０ｂのフレーム構成を示す模式図である。
【図３】光送信装置１０における時分割多重動作の説明図である。
【図４】光送信装置の別の構成の概略構成ブロック図である。
【符号の説明】
【００６８】
１０：光送信装置
１２：光伝送路
１４：光受信装置
２０ａ：放送信号
２０ｂ：データ信号
２２ａ，２２ｂ：ＩＤＰ判定装置
２４ａ，２４ｂ：８Ｂ／１０Ｂ変換装置
２６ａ，２６ｂ：トリガー信号発生装置
２８ａ，２８ｂ：８Ｂ／１０Ｂ変換テーブル
３０ａ，３０ｂ：特定１０Ｂパターン変換装置
３２ａ，３２ｂ：多重化器
３４ａ，３４ｂ：バッファ
３６：クロック発生装置
３８ａ，３８ｂ：電気／光変換器
４０：光合波器
５０：光電変換器
５２：バッファ
５４：チャネル判定装置
５６：スイッチ
５８ａ，５８ｂ：ＩＤＰ判定装置
６０ａ，６０ｂ：１０Ｂ／８Ｂ変換装置
６２ａ，６２ｂ：１０Ｂ／８Ｂ変換テーブル
６４ａ，６４ｂ：出力端子
１１０：光送信装置
１２２ａ，１２２ｂ：８Ｂ／１０Ｂ変換装置
１２４ａ，１２４ｂ：８Ｂ／１０Ｂ変換テーブル
１２６ａ，１２６ｂ：ＩＤＰ判定装置
１２８ａ，１２８ｂ：バッファ
１３０ａ，１３０ｂ：特定１０ビットパターン発生装置
１３２ａ，１３２ｂ：バッファ
１３４ａ，１３４ｂ：トリガー信号発生装置
１３６ａ，１３６ｂ：多重化器
１３８ａ，１３８ｂ：バッファ
１４０ａ，１４０ｂ：電気／光変換器
１４２：クロック発生装置
１４４：光合波器
【図１】
2006319402.tif 000003
【図２】
2006319402.tif 000004
【図３】
2006319402.tif 000005
【図４】
2006319402.tif 000006